(57)【要約】【課題】操作性を損なうことなく、医用レポートの作成コストを低減すること【解決手段】レポート作成支援プログラム３６は文書編集プログラム３４のプラグインとして起動し、文書編集画面５０内に操作パレット５６を表示する。患者名入力ボックスに患者の氏名が入力されると、医用画像サーバ１８にアクセスし、患者名に対応する医用画像のアドレス情報が検査画像ボタン７２にリンク付けされる。検査画像ボタン７２がクリックされると、リンク付けされた医用画像を読み出して、これを文書編集画面５０に挿入する。【選択図】図５
2009080665.tif 000002
【特許請求の範囲】
【請求項１】
文書編集画面に表示された電子文書を編集する文書編集プログラムに組み込み可能とされ、医用レポートの作成を支援する処理をコンピュータに実行させるための医用レポート作成支援プログラムであって、
患者識別情報を入力する患者情報入力部を前記文書編集画面に表示するステップと、
前記患者識別情報に対応する前記医用画像が保存されているアドレス情報を取得するステップとを含むことを特徴とする医用レポート作成支援プログラム。
【請求項２】
前記患者の医用画像を前記電子文書に挿入するための医用画像入力ボタンを前記文書編集画面に表示するステップと、前記医用画像入力ボタンに取得した前記アドレス情報をリンク付けするステップとをさらに備えたことを特徴とする請求項１記載の医用レポート作成支援プログラム。
【請求項３】
前記医用画像入力ボタンの操作に応答して、前記アドレス情報に対応する前記医用画像の縮小画像を前記文書編集画面に表示するステップをさらに備えたことを特徴とする請求項２記載の医用レポート作成支援プログラム。
【請求項４】
医用レポートの作成を支援する処理を実行するための複数の操作ボタンを有する操作パレットを前記文書編集画面に表示するステップをさらに備え、前記患者情報入力部及び前記医用画像入力ボタンは、前記操作パレット内に表示されることを特徴とする請求項２または３記載の医用レポート作成支援プログラム。
【請求項５】
前記患者識別情報の入力に応答して、前記患者識別情報と前記医用画像の格納先とを対応づけるアドレス情報テーブルを参照することで、前記アドレス情報を取得することを特徴とする請求項１ないし４のいずれか記載の医用レポート作成支援プログラム。
【請求項６】
前記患者の検査種別情報を前記電子文書に入力するための検査種別指定部を表示するステップを更に備え、
前記患者識別情報と及び前記検査種別情報に対応する前記医用画像のアドレス情報を取得することを特徴とする請求項１ないし５のいずれか記載の医用レポート作成支援プログラム。
【請求項７】
前記患者識別情報の入力に応答して、前記患者識別情報に対応する医用レポートが保存されているアドレス情報を取得するステップをさらに備えたことを特徴とする、請求項１ないし６のいずれか記載の医用レポート作成支援プログラム。
【請求項８】
前記文書編集プログラムは、ワードプロセッサ、表計算ソフトウェア、電子カルテソフトのいずれかであることを特徴とする請求項１ないし７いずれか記載の医用レポート作成支援プログラム。
【請求項９】
文書編集画面に表示された電子文書を編集する文書編集手段と、前記文書編集手段に組み込み可能に設けられ、前記文書編集手段と連携して医用レポートの作成を支援する医用レポート作成支援手段とを備えた医用レポート作成装置であり、
前記医用レポート作成支援手段は、
患者識別情報を入力する患者情報入力部を前記文書編集画面に表示する表示手段と、
前記患者識別情報に対応する前記医用画像が保存されているアドレス情報を取得するアドレス取得手段とを備えたことを特徴とする医用レポート作成装置。
【請求項１０】
文書編集画面に表示された電子文書を編集する文書編集手段と連携して、医用レポートの作成を支援する医用レポート作成支援方法であって、
患者識別情報を入力する患者情報入力部を前記文書編集画面に表示するステップと、
前記患者識別情報に対応する前記医用画像が保存されているアドレス情報を取得するステップとを含むことを特徴とする医用レポート作成支援方法。
【発明の詳細な説明】
【技術分野】
【０００１】
本発明は、医用画像の読影レポート等の医用レポートの作成に用いられるプログラム、医用レポート作成装置及び医用レポート作成支援方法に関する。
【背景技術】
【０００２】
内視鏡装置、ＣＴ（Computed Tomography）装置，ＭＲＩ（Magnetic Resonance Imaging）装置など、医用検査画像（医用画像）をデジタルデータで記録するモダリティ（医用検査機器）が知られている。こうしたモダリティによって得られた医用画像は電子的に管理され、読影医による読影レポートの作成に利用される。
【０００３】
すなわち、医用検査機器を用いて診断を行う場合、まず専門の医師（読影医）が医用画像の読影を行い、読影結果や所見を記載した読影レポートを作成する。担当医は、読影医により作成された読影レポートを参照して、患者に対して具体的な診断を行う。
【０００４】
読影レポートの作成を効率よく行うために、医用画像を参照しながら所見を行うための専用の文書編集プログラムが開発されている。文書編集画面には、患者情報や検査日等の書誌事項を記入するエリア、参照用の医用画像を表示するエリア、シェーマ画像及び所見の対象とされた医用画像を表示するエリア、所見を記入するエリア等が分けられており、読影医は各エリアに必要な情報を入力することで、簡易に読影レポートを作成することができる。
【０００５】
読影レポート作成の効率性をさらに向上させるため、様々な技術が開示されている。例えば、特許文献１記載の診断支援システムでは、読影対象とするカテゴリー（消化器系、呼吸器系など）、検査部位等に対応した図形を画面上に表示し、これらの図形をポインティングデバイスで選択することで、キーボード入力を省略する。また、特許文献２においては、所見欄の文字列に医用画像のアドレス情報を関連づけることで、読影対象の画像に対応する所見内容を診断医へ正確に伝達する医用レポート作成装置が開示されている。
【０００６】
【特許文献１】特開２００４−３５５４１２号公報
【特許文献２】特開２００５−３０１４５３号公報
【発明の開示】
【発明が解決しようとする課題】
【０００７】
上記の診断支援システムないしレポート作成装置では、読影レポートを作成するために専門化された文書編集プログラムが用いられていることから、操作性が良い反面、システムの導入コストが非常に高くなる。さらに、文書編集プログラムの全体をアップデートする必要があるため、更新費用やシステムの保守費用が高くなってしまう。このため、資金力の乏しい医療機関はもちろん、医療コストの削減を図りたい医療機関においても、高価な文書編集プログラムを導入しづらいという問題がある。
【０００８】
一方、汎用の文書作成ソフトウェアを用いることで、読影レポートの作成に関するコストを削減することはできる。しかし、読影レポートの作成に必要な医用画像を読影医自らがサーバから探す必要があり、また、所見に用いられる文章は定型化されていることが多いにもかかわらずキーボード入力を行う必要がある等、読影レポート作成の操作性は大きく損なわれてしまう。
【０００９】
本発明は、操作性を損なうことなく、医用レポートの作成コストを低減することを目的とする。
【課題を解決するための手段】
【００１０】
上記目的を達成するために、本発明は、文書編集プログラムに医用レポート作成支援プログラムを組み込み可能に設け、当該医用レポート作成支援プログラムにおいて、患者識別情報を入力する患者情報入力部を文書編集画面に表示し、入力された患者識別情報に対応する医用画像が保存されているアドレス情報を取得することを特徴とする。上記アドレス情報は、医用画像入力ボタンにリンク付けされる。患者情報入力部及び医用画像入力ボタンは、医用レポートの作成を支援する処理を実行するための複数の操作ボタンを有する操作パレット内に表示されることが好ましい。前記医用レポート作成支援プログラムは、前記アドレス情報に対応する前記医用画像を前記電子文書に挿入するステップをさらに含んでもよい。
【００１１】
患者識別情報と医用画像の格納先とを対応づけるアドレス情報テーブルを、医用画像を保存する医用画像サーバに設け、患者識別情報の入力に応答してアドレス情報テーブルを参照することでアドレス情報を取得することができる。あるいは、アドレス情報テーブルを医用画像サーバから取得しても良い。
【００１２】
同一患者に対応する医用画像が複数存在する場合には、医用画像入力部の操作に応答して、アドレス情報に対応する医用画像の縮小画像を文書編集画面に表示するようにしても良い。また、患者識別情報のみならず検査種別情報にも対応する医用画像のアドレス情報のみを取得しても良い。
【００１３】
患者識別情報に対応する医用画像のみならず、医用レポートが保存されているアドレス情報も取得することもできる。文書編集プログラムとして、ワードプロセッサ、表計算ソフトウェア若しくは電子カルテソフトを用いることができる。
【発明の効果】
【００１４】
本発明によれば、文書編集プログラムに医用レポート作成支援プログラムを組み込み可能に設けるとともに、当該医用レポート作成支援プログラムにおいて、患者識別情報に対応する医用画像のアドレス情報を取得するようにしたから、操作性を損なうことなく医用レポートの作成コストを低減することができる。
【発明を実施するための最良の形態】
【００１５】
本発明の一実施形態に係る読影レポート作成端末１０を含む、医用ネットワークシステムの一部分を図１に示す。読影レポート作成端末１０は、ＬＡＮ（Local Area Network）１２等のネットワークを介して医用画像サーバ１８及び読影レポートサーバ２０に接続される。
【００１６】
医用画像サーバ１８は、内視鏡装置１４ａ、ＣＴ（Computed Tomography）装置１４ｂ、ＭＲＩ（Magnetic Resonance Imaging）装置１４ｃ等の撮影モダリティで取得された医用画像データを保管及び管理するサーバであり、読影レポート作成端末１０からのリクエストに応じて、医用画像データを読影レポート作成端末１０へ送信する。図２に示すように、医用画像サーバ１８は、患者情報を記録する患者情報テーブル１８ａ、患者情報と医用画像の格納先アドレスを対応づけた画像情報テーブル１８ｂ、医用画像データを記録する画像格納領域１８ｃを含む。医用画像データは、内視鏡検査、ＣＴ検査，ＭＲＩ検査など検査種別に分類されて格納されている。
【００１７】
患者情報テーブル１８ａには、例えば、患者名と患者ＩＤ及び生年月日が対応づけられており、患者名及び患者ＩＤの一方から他方を検索できる。画像情報テーブル１８ｂは、格納先アドレスに、患者ＩＤ及び検査種別（内視鏡、ＣＴ、ＭＲＩなど）が対応づけられており、患者ＩＤ及び検査種別をキーワードとして画像格納領域１８ｃ内の医用画像データを検索できるようにされている。
【００１８】
医用画像は、例えば、ＤＩＣＯＭ（Digital Imaging andCOmmunication in Medicine）形式のように、各画像ファイル内のタグ領域に患者名や患者ＩＤを含む患者情報や検査種別が記録されている場合が多い。こうしたファイル内の情報に基づいて検索することもできるが、本実施形態では、検索の容易性、迅速性を考慮して、患者情報テーブル１８ａや画像情報テーブル１８ｂを検索用に予め作成して、医用画像サーバ１８に格納している。これらのテーブル情報は、医用画像サーバ１８への医用画像の登録状況に合わせて更新される。
【００１９】
なお、こうしたテーブル情報を医用画像サーバ１８とは別のサーバやストレージに格納しておいてもよい。その場合には、画像情報テーブル１８ｂには、フォルダ名だけでなく、サーバ名を含む格納先アドレスが記録される。また、こうしたテーブル情報を、読影レポート作成端末１０に予め登録しておいてもよい。
【００２０】
図１において、読影レポートサーバ２０には、読影レポート作成端末１０によって作成された読影レポートが記録されている。読影レポートには、例えば、患者名や検査項目を示す書誌事項、シェーマ画像、撮影モダリティで取得された医用画像、読影医による所見が含まれており、電子文書ファイルとして記録される。
【００２１】
図３において、読影レポート作成端末１０は汎用型のパーソナルコンピュータ（ＰＣ）であり、モニタ２２、キーボードやマウスから構成される入力デバイス２４、ＣＰＵ２６，画像データやプログラムを一時的に格納するメモリ２８，記憶媒体としてのハードディスク（ＨＤＤ）３０、通信インターフェイス（Ｉ／Ｆ）３２とを有する。読影レポート作成端末１０を構成する各部はデータバスを介して相互に接続されている。通信Ｉ／Ｆ３２は、ＬＡＮ１２を介してデータを送受信する際に、通信プロトコルに応じて通信制御を行う。ＣＰＵ２６は、読影レポート作成装置１０を構成する各部を統括的に制御する。
【００２２】
モニタ２２は、読影レポート作成端末１０の本体と接続されており、読影レポートを作成するための文書編集画面を表示する。モニタ２２は、例えば、汎用型ＰＣの本体とセットで提供されるディスプレイであるが、医用画像を観察するのに適した高精細のモニタを画像表示用モニタとして追加してデュアルモニタ構成としてもよい。
【００２３】
ハードディスク（HDD）３０は周知のデータストレージデバイスであり、オペレーティングシステム、文書編集プログラム３４及びレポート作成支援プログラム３６の他、これらのプログラムを実行する際に用いられる各種の設定データが記録されている。文書編集プログラム３４は、医用レポートの作成に限定されず、様々な用途で利用されるワープロソフト、表計算ソフトであり、本実施形態では、例えばMicrosoft WORD（登録商標）や一太郎（登録商標）といったワープロソフトが用いられる。あるいは、文書編集プログラム３４として電子カルテソフトを用いることもできる。文書編集プログラム３４は、ＣＤ−ＲＯＭやＤＶＤ−ＲＯＭ等の記録媒体あるいはインターネットを介してハードディスク３０にインストールされる。
【００２４】
レポート作成支援プログラム３６は、文書編集プログラム３４のプラグインプログラムとして用いられ、ＣＤ−ＲＯＭやＤＶＤ−ＲＯＭ等の記録媒体、あるいはインターネットを介してハードディスク３０にインストールされる。レポート作成支援プログラム３６は、文書編集プログラム３４の起動と同時に起動させても良いし、あるいは文書編集プログラム３４の起動中に入力デバイス２４を介した操作によって起動するようにしても良い。レポート作成支援プログラム３６は、後述する操作パレット５６を作動させるためのプログラム本体３６ａ、検査種別、検査部位の医用用語や所見の文例を含む辞書データ３６ｂ、シェーマ画像、図形、テキストボックス等に対応する画像データ３６ｃを有する。
【００２５】
これらＣＰＵ２６、文書編集プログラム３４及びレポート作成支援プログラム３６によって構成される機能ブロックを図４に示す。機能ブロックは、文書編集部３８、表示制御部４０、操作パレット制御部４２、テンプレート出力部４４、検査種別設定部４５、画像リンク先設定部４６、医用画像取得部４８から構成される。
【００２６】
文書編集部３８は、文書編集プログラム３４に対応するものであり、読影レポートを作成するための文書編集画面５０（図５参照）を生成するとともに、入力デバイス２４を介した外部入力に応答して文書の作成・編集を行う。作成された文書は電子ファイルとしてハードディスク３０または読影レポートサーバ２０に保存される。表示制御部４０は、文書編集部３８から送られるデータを表示用データに変換して、文書編集画面５０をモニタ２２に出力表示する。
【００２７】
操作パレット制御部４２は、読影レポートの作成を効率的に行うための操作パレット５６（図５参照）を生成して文書編集画面５０内に表示させるとともに、入力デバイス２４を介した外部入力に応じて、検査部位及び所見の用語・文例、シェーマ画像や図形、医用画像を文書編集画面５０に挿入する。テンプレート出力部４４は、辞書データ３６ｂに含まれている検査部位及び所見の用語・文例データや、画像データ３６ｃに含まれているシェーマ画像及び図形データの中から、選択された用語・文例データ及び画像データを操作パレット制御部４２に出力する。
【００２８】
検査種別設定部４５は、入力デバイス２４及び操作パレット制御部４２を介して指定された検査種別を受け付けて、その検査種別を、テンプレート出力部４４及び画像リンク先設定部４６に出力する。辞書データ３６ｂには、用語・文例データ、シェーマ画像などが収録されているが、それらのデータは検査種別毎に特有なものも多いので、検査種別（内視鏡検査用、ＣＴ検査用、ＭＲＩ検査用など）に応じて分類されている。テンプレート出力部４４は、検査種別情報に基づいて、その検査種別に応じたデータを選択する。
【００２９】
画像リンク先設定部４６は、操作パレット５６において患者名が入力されたときに、医用画像サーバ１８にアクセスして、患者情報テーブル１８ａより患者名に対応する患者ＩＤを検索し、画像情報テーブル１８ｂより患者ＩＤに対応する格納先アドレスを検索して、その格納先アドレスをリンク先情報として取得する。図２に示したとおり、医用画像サーバ１８には、検査種別毎に医用画像が格納されている。画像リンク先設定部４６は、検査種別設定部４５から出力された検査種別に応じて、格納先アドレスを選択する。
【００３０】
リンク先情報は、例えば、ＨＴＴＰ（Hypertext Transfer Protocol）で規定されるＵＲＬ(Uniform Resource Locator)形式で定められる。取得されたリンク先情報のデータは、メモリ２８あるいはハードディスク３０に書き込まれる。医用画像取得部４８は、画像リンク先設定部４６によって設定されたリンク先内の医用画像を読み出して、これを操作パレット制御部４２に出力する。
【００３１】
医用画像のオリジナルデータはサイズが大きいため、操作パレット制御部４２に出力される医用画像は、例えば、オリジナルデータの縮小画像である。そのため、医用画像取得部４８は、オリジナルデータを取得した場合には、そのデータに対して縮小処理を施して操作パレット制御部４２に出力する。なお、予め医用画像サーバ１８内に縮小画像が格納されている場合には、その縮小画像を用いてもよい。
【００３２】
図５は、文書編集画面５０の一例である。文書編集画面５０には、ファイル選択ボタンや編集ボタン、ヘルプボタン等が設けられたツールバー５２、編集中の文書を表示する文書表示領域５４、読影レポートの作成を補助するための操作パレット５６及びマウスポインタ５８が表示されている。読影医は、ツールバー５２上のファイル選択ボタンを操作して作成すべきレポートファイルを文書編集画面５０に表示し、文書表示領域５４でカーソル６０が表示された位置に文章や画像を入力することで読影レポートを作成する。新規に作成する場合には、新規作成が選択される。
【００３３】
操作パレット５６は、検査種別ボタン６２、部位ボタン６４、シェーマボタン６６、図形描画ボタン６８、文例ボタン７０、検査画像ボタン７２、設定ボタン７４、患者名入力ボックス７６から構成される。
【００３４】
検査種別ボタン６２は、検査種別を指定するためのボタンであり、例えば、図６に示すように、検査種別ボタン６２にマウスポインタ５８を合わせてクリックすることで、指定可能な検査種別（「内視鏡」、「ＣＴ」、「ＭＲＩ」など）の一覧を表示するメニュー７８が表示される。このメニュー７８からいずれかのタブにマウスポインタ５８を合わせて検査種別を選択すると、選択された検査種別情報が検査種別設定部４５に入力される。
【００３５】
図７に示すように、部位ボタン６４は、対応する用語・文例データにリンクづけられており、所望のボタンにマウスポインタ５８を合わせてクリックすることで、対応する用語の一覧を表示するメニュー７９が表示される。上述したとおり、テンプレート出力部４４は、検査種別に応じて辞書データ３６ｂ，画像データ３６ｃの選択を行うので、メニュー７９には、検査種別に応じた用語が表示される。
【００３６】
例えば、検査種別として、内視鏡検査が指定されている場合には、メニュー７９には、「上部消化管」，「下部消化管」が表示され、さらに、「上部消化管」をポイントすると、「食道」，「胃」，「十二指腸」などのさらに詳細な部位名が表示される。それらの部位名をポイントしてマウスをクリックすると、ポイントされた用語が文書表示領域５４のカーソル６０（図５参照）に入力される。
【００３７】
また、文例ボタン７０がクリックされると、「腫瘍が認められる」「治療効果が認められる」等の所見、診断に関する文例が複数表示され、選択された文例が文書表示領域５４に入力される。
【００３８】
図８に示すように、シェーマボタン６６がクリックされると、テンプレート出力部４４から、シェーマ画像に対応する画像データが読み出され、操作パレット５６にシェーマ画像８０が表示される。選択されたシェーマ画像８０は、文書表示領域５４に入力される。これら、文例、シェーマ画像についても、部位名と同様に、テンプレート出力部４４によって、検査種別に応じたデータが選択されて表示される。
【００３９】
「図形描画」ボタンは、矢印や吹き出し等の所定の図形データに対応づけられており、選択された図形が文書表示領域５４に入力される。設定ボタン７４は、操作パレット５６で表示するボタンの設定など、各種の設定を行う。
【００４０】
図９に示すように、患者名入力ボックス７６は患者の氏名を入力するためのテキストボックスであり、ここで入力された患者名に基づいて、画像リンク先設定部４６は、当該患者の医用画像の格納先アドレスを判定して、その格納先アドレスを検査画像ボタン７２のリンク先として設定する。検査種別情報は、画像リンク先設定部４６にも入力されるので、画像リンク先設定部４６は、指定された患者名に該当する格納先アドレスのうち、検査種別に応じた格納先アドレスを設定する。
【００４１】
例えば、患者名入力ボックス７６に「富士太郎」と入力された場合、画像リンク先設定部４６は、医用画像サーバ１８にアクセスして、患者情報テーブル１８ａを参照して、患者ＩＤを取得するとともに、その患者ＩＤに基づいて画像情報テーブル１８ｂを参照して、「富士太郎」に対応する医用画像の格納先アドレスを取得する。そして、その格納先アドレスの中から、指定された検査種別に対応する格納先アドレスを選択して取得する。こうして取得された格納先アドレスが、検索画像ボタン７２のリンク先に設定される。
【００４２】
検査画像ボタン７２は医用画像を入力するためのボタンであり、この検査画像ボタン７２がマウスポインタ５８でポイントされると、医用画像取得部４８は、検査画像ボタン７２のリンク先にアクセスして、その格納先にある医用画像を読み出して、メニュー８４を表示する。メニュー８４には、検査種別に応じた医用画像が表示される。図５に示すように、このメニュー８４の中から、マウスポインタ５８で選択された医用画像８２が文書表示領域５４に入力される。
【００４３】
以下、上記構成による作用について、図１０に示すフローチャートを参照しながら説明する。読影医がレポート作成端末１０の文書編集プログラム３４とともに、レポート作成支援プログラム３６を起動すると（ステップＳ１）、操作パレット５６が表示される（ステップＳ２）。読影医は、編集すべき読影レポートの電子ファイルを読影レポートサーバ２０から読み出して、文書編集画面５０において読影レポートを編集する。
【００４４】
文章編集画面５０には操作パレット５６が表示されるので、これを利用して読影レポートが作成される。まず、操作パレット５６の検査種別ボタン６２で検査種別が指定される。検査種別設定部４５は、指定された検査種別をテンプレート出力部４４と画像リンク先設定部４６に入力して、検査種別を設定する（ステップＳ３）。なお、検査種別が指定されない場合には、前回の設定や初期設定が使用される。
【００４５】
操作パレット５６で文例ボタン７０がクリックされると、所見や診断に関する文例の一覧が表示される。選択された文例は、文書表示領域５４に入力される。同様に、部位ボタン６４、シェーマボタン６６などを操作して、用語やシェーマ画像を文章表示領域５４に入力することができる。このように、操作パレット５６を利用することで、マウス操作を中心にレポート編集ができるので、キーボードを操作する手間がなく、操作が簡単になる。また、医学用語は日常使用される漢字に含まれていないものが多いので、キーボードで入力する場合と比べて、効果的である。
【００４６】
患者の医用画像を読影レポートに入力する場合には、患者名入力ボックス７６に患者の氏名が入力される（ステップＳ４）。すると、画像リンク先設定部４６は、医用画像サーバ１８の患者情報テーブル１８ａを参照して、入力された氏名と一致する患者ＩＤ情報を取得する（ステップＳ５）。
【００４７】
次に、画像リンク先設定部４６は、画像情報テーブル１８ｂを参照して、患者ＩＤに対応する医用画像ファイルのアドレス情報が検査画像ボタン７２にリンク付けされる（ステップＳ６）。なお、入力された氏名と一致する患者ＩＤが存在しない場合、あるいは患者ＩＤに対応する医用画像ファイルが存在しない場合には、検査画像ボタン７２にはアドレス情報がリンク付けされない。
【００４８】
この状態で検査画像ボタン７２がクリックされると（ステップＳ７）、画像リンク先設定部４６は、検査画像ボタン７２にはリンク先情報（格納先アドレス）がリンク付けされているか否かをチェックする（ステップＳ８）。格納先アドレスがリンク付けされている場合には、検査画像ボタン７２にリンク付けされた格納先アドレスに基づき、医用画像サーバ１８から医用画像が読み出され、メニュー８４が表示される。そして、そのメニュー８４から１つの医用画像が指定されると、その医用画像が文書表示領域５４に挿入される（ステップＳ９）。これにより、読影医は医用画像サーバ１８から所望の医用画像を検索する手間を省略することができるので、レポート作成効率が向上する。なお、格納先アドレスがリンク付けされていない場合には、エラーメッセージが出力され、患者名の再入力が促される（ステップＳ１０）。
【００４９】
医用画像が挿入され、所見等が記入された読影レポートは電子ファイルの形式で読影レポートサーバ２０に登録される。別の患者の読影レポートを作成する場合には、患者名入力ボックス７６に患者の氏名を入力する。すると、画像リンク先設定部４６は、検査画像ボタン７２のリンク先を、当該別の患者名に対応する格納先アドレスに更新する。
【００５０】
このように、レポート作成端末１０は汎用型のパーソナルコンピュータであり、読影レポート作成に専用のハードウェアは用いられていないため、コストの削減を図ることができる。また、レポート作成支援プログラムは文書編集プログラムのプラグインの形式を取っており、読影レポート作成のために専門化された文書編集プログラムは組み込まれていないため、高価な医用レポート作成用プログラムを導入する必要がない。また、レポート作成支援プログラムをバージョンアップする場合においても、文書編集プログラム全体を再導入する必要がないため、簡易かつ安価にバージョンアップを行うことができる。したがって、読影レポートの作成に関するシステムのコストを低減することができる。
【００５１】
上記実施形態では、検査種別情報に基づいて、検査画像ボタンのリンク先の取得処理や、辞書データ等の選択処理を行うようにしているので、医用画像の検索効率やレポート編集操作の省入力化をより向上させることができる。
【００５２】
さらに、検査画像ボタンのリンク先の選択に当たっては、こうした検査種別情報に加えて、日付情報を利用するようにするとよい。経過観察などが行われる場合には、検査が異なる日に複数回に渡って行われる。そのような場合には、日付を指定してリンク先を取得するようにすれば、より効率的である。この場合には、操作パレットに日付入力ボックスを設けて、画像リンク先設定部が、そこに入力された日付に応じた格納先アドレスを取得する。また、操作パレットに、日付指定用のメニューを表示する日付指定ボタンを設けて、マウス操作によって日付の入力ができるようにしてもよい。
【００５３】
また、上記実施形態では、患者名が入力されたときに、医用画像サーバ１８内の患者情報テーブル１８ａ及び画像情報テーブル１８ｂを参照してリンク先情報を取得しているが、レポート作成支援プログラム３６が起動した際にメモリ２８にこれらのテーブル１８ａ，１８ｂを一時的に記憶させてもよい。この場合には、患者名の入力に伴い同一端末内のメモリ２８にアクセスすることで医用画像の格納先アドレスを取得できるため、検索速度の向上を図ることができる。
【００５４】
上記実施形態では、操作パレットに検査画像ボタンを設けて、そこに患者名に応じた医用画像の格納先アドレスが設定されるようにしているが、医用画像に加えて、例えば、同一患者の過去の読影レポートの格納先アドレスが設定されるようにしてもよい。これにより、経過観察などを行う場合に、過去の読影レポートを容易に参照することができる。
【００５５】
上記実施形態では、操作パレットの検査画像ボタンに医用画像の格納先アドレスをリンク付けする例で説明したが、こうしたリンク付け処理をせずに、入力された患者名の格納先アドレスから医用画像の読み出しを行って、その一覧を文書編集画面に表示するようにしてもよい。この場合には、患者名入力ボックスがあればよく、検査画像ボタンは不要である。また、患者識別情報入力部は、患者名入力ボックスのようなボックス形態でなくてもよく、例えば、登録されている患者名の一覧を表示して、その中からいずれかの患者を指定することにより、入力されるように構成してもよい。
【００５６】
上記実施形態では、患者識別情報として、患者名を使用して格納先アドレスを取得するようにしているが、患者ＩＤを使用して取得するようにしてもよいし、そのいずれかを選択できるようにしてもよい。また、操作パレットに含まれるボタンは、上記実施形態に限定されない。上記実施形態で示したボタン数を減らしてもよいし、さらに、別の機能を持つボタンを追加してもよい。また、検査画像ボタンや患者名入力ボックスを、操作パレット内に表示しなくてもよく、操作パレットとは別に表示するようにしてもよい。
【００５７】
上記実施形態では、医用レポートとして読影レポートを例に説明したが、本発明は、読影レポートに限らず、医学論文、症例報告などの他の医用レポートに適用することも可能である。
【００５８】
上記実施形態では、複数の検査種別に対応した例で説明したが、例えば、内視鏡検査のみなど、１種類の検査種別に対応したものでもよい。検査種別として、内視鏡検査，ＣＴ検査，ＭＲＩ検査の組み合わせの例で説明したが、他の検査種別を組み合わせても構わない。上記検査以外には、例えば、ＣＲ（Computed Radiography）検査、核医学検査などがあり、それらのいずれを組み合わせてもよい。また、医用画像は２Ｄ（Dimension）画像に限らず、３Ｄ画像でもよい。
【図面の簡単な説明】
【００５９】
【図１】読影レポート作成装置を含む医療情報システムの一例を示す説明図である。
【図２】医用画像サーバ１８の構成を示す説明図である。
【図３】読影レポート作成装置の構成を示すブロック図である。
【図４】読影レポート作成装置の機能ブロック図である。
【図５】文書編集画面の一例を示す説明図である。
【図６】操作パレットの検査種別ボタンのメニューの表示例を示す説明図である。
【図７】操作パレットの部位ボタンのメニューの表示例を示す説明図である。
【図８】操作パレットのシェーマボタンのメニューの表示例を示す説明図である。
【図９】操作パレットの検査画像ボタンのメニューの表示例を示す説明図である。
【図１０】文書編集時に医用画像を入力する際のフローチャートである。
【符号の説明】
【００６０】
１０  読影レポート作成装置
１８  医用画像サーバ
１８ａ  患者情報テーブル
１８ｂ  画像情報テーブル
２０  読影レポートサーバ
２６  ＣＰＵ
３４  文書編集プログラム
３６  レポート作成支援プログラム
３８  文書編集部
４２  操作パレット制御部
４５  検査種別設定部
４６  画像リンク先設定部
４８  医用画像入力部
５０  文書編集画面
６４  操作パレット
６２  検査種別ボタン（検査種別指定部）
７２  検査画像ボタン（医用画像入力ボタン）
７６  患者名入力ボックス（患者識別情報入力部）
８４  医用画像
【図１】
2009080665.tif 000003
【図２】
2009080665.tif 000004
【図３】
2009080665.tif 000005
【図４】
2009080665.tif 000006
【図５】
2009080665.tif 000007
【図６】
2009080665.tif 000008
【図７】
2009080665.tif 000009
【図８】
2009080665.tif 000010
【図９】
2009080665.tif 000011
【図１０】
2009080665.tif 000012